(57)【要約】      （修正有）【課題】フレキシブル回路シートを検出するための自動光学検出設備を提供する。【解決手段】フレキシブル回路シート３は、その長軸に沿って配列される複数の回路区域を有する。自動光学検出設備１は、ベース１０と、ロールツーロール式装置１２と、光学検出装置１４と、を備える。ロールツーロール式装置１２は、ベース１０に設けられ、第１ローラー１２０と、第２ローラー１２２と、を含み、フレキシブル回路シート３を第１ローラー１２０から第２ローラー１２２に送ることに用いられる。光学検出装置１４は、ベース１０に設けられ、第１ローラー１２０及び第２ローラー１２２の上方に位置して、走査方向に沿って回路区域を往復的に走査することに用いられる。第１ローラー１２０と第２ローラー１２２との間の距離は、いずれか回路区域の長軸における長さと同じ又はそれより短い。【選択図】図１
0003185858.tif 000002
【実用新案登録請求の範囲】
【請求項１】
フレキシブル回路シートは、該フレキシブル回路シートの長軸に沿って配列される複数の回路区域を有し、検出することに用いられ、
ベースと、
前記ベースに設けられ、第１ローラーと、第２ローラーと、を含み、前記フレキシブル回路シートを前記第１ローラーから前記第２ローラーに送るためのロールツーロール式装置と、
前記ベースに設けられ、前記第１ローラー及び前記第２ローラーの上方に位置して、走査方向に沿って前記回路区域を往復的に走査するための光学検出装置と、
を備え、
前記第１ローラーと前記第２ローラーとの間の距離は、いずれかの前記回路区域の前記長軸における長さと同じ又はそれより短い自動光学検出設備。
【請求項２】
前記フレキシブル回路シートは、前記第１ローラーと前記第２ローラーとの間において、平坦部を有し、前記光学検出装置は、
前記平坦部の上方に位置するレンズモジュールと、
前記レンズモジュールの上方に位置して、前記レンズモジュールによって前記回路区域を走査するための映像走査モジュールと、を含む請求項１に記載の自動光学検出設備。
【請求項３】
少なくとも１つの光源を更に含み、前記光源は、前記レンズモジュールに隣接し前記平坦部に対向して、前記平坦部に対して補光を行うことに用いられる請求項２に記載の自動光学検出設備。
【請求項４】
前記ベースに設けられ、前記ロールツーロール式装置と前記光学検出装置との間に位置して、前記光学検出装置を、前記走査方向に沿って前記平坦部の上方で移動させるように導くためのレールを更に備える請求項２に記載の自動光学検出設備。
【請求項５】
前記レールに設けられ前記光学検出装置に操作可能に接続されて、前記光学検出装置を、前記平坦部の上方で前記レールに沿って往復的に移動させるように駆動するための第１ドライバーを更に備える請求項４に記載の自動光学検出設備。
【請求項６】
前記光学検出装置は、前記映像走査モジュールに電気的に接続されて、前記映像走査モジュールによる走査結果により、前記回路区域の画像を合成するための映像合成モジュールを更に含む請求項２に記載の自動光学検出設備。
【請求項７】
前記第１ローラー及び前記第２ローラーに操作可能に接続されて、前記第１ローラー及び前記第２ローラーを、回転させるように駆動するための第２ドライバーを更に備える請求項２に記載の自動光学検出設備。
【請求項８】
前記第２ドライバーに電気的に接続されて、いずれかの前記回路区域の前記平坦部における位置を検出するための画像取得装置を更に備え、前記第２ドライバーは、前記画像取得装置による検出結果により、前記第１ローラー及び前記第２ローラーを、回転させるように駆動する請求項７に記載の自動光学検出設備。
【請求項９】
前記走査方向は、前記長軸に垂直である請求項１に記載の自動光学検出設備。
【請求項１０】
前記第１ローラー及び前記第２ローラーは、前記長軸に垂直である請求項１に記載の自動光学検出設備。
【考案の詳細な説明】
【技術分野】
【０００１】
本考案は、自動光学検出設備に関する。
【背景技術】
【０００２】
高解像度装置の発展、プロセス技術の改良及び工業生産の自動化に対する需要につれて、従来の目視検査（ｍａｎｕａｌ  ｖｉｓｕａｌ  ｉｎｓｐｅｃｔｉｏｎ；ＭＶＩ）を用いる検出方式は、次第に限定されて、一般的に素子の欠落、型番分類及び一部の明らかなミスしか検査できず、人為的かつ主観的・客観的な要因の影響を受けやすく、不安定度、困難度及びコストが高いため、自動光学検出設備（ａｕｔｏｍａｔｅｄ  ｏｐｔｉｃａｌ  ｉｎｓｐｅｃｔｉｏｎ；ＡＯＩ）の発明がそれに応じて現れた。
【０００３】
自動光学検出設備は、近年、かなり市場潜在力のある検出設備であり、その基本的な作業原理は、主に、映像センサによって被検出物の図形映像情報を得て、次に、コンピュータの内蔵ソフトウェアによる処理・計算で照合、分析及び判断を行うことである。これより分かるように、自動光学検出は、目視検査によるエラー率を低下させるだけでなく、更に時間と労働コストを大いに節約する。また、自動光学検出設備は、高い安定性及び操作における柔軟性等のメリットを更に有する。
【０００４】
また、自動光学検出設備は、非破壊検査という特性を持つため、一般的に集積回路、液晶表示パネル、発光ダイオード、プリント基板等、延いては生物医学等の関連産業を含む非常に広い分野に適用可能である。
【考案の概要】
【考案が解決しようとする課題】
【０００５】
フレキシブル回路シートを検出するための従来の枚葉式（一枚ずつ検査する）自動光学検出設備において、フレキシブル回路シートが、載置台に載置され、映像走査モジュールによりＸ−Ｙ平面の走査を行う。既存の設備をロールツーロール式（ｒｏｌｌ−ｔｏ−ｒｏｌｌ）自動光学検出設備に修正しようとする場合、ローラーを外部接続の方式で載置台の両側に設けなければならない。しかしながら、上記外部接続ローラーの方式において、自動光学検出設備全体の体積が大きすぎ、フレキシブル回路シートを送る過程において、次のフレキシブル回路シートを送る前に、巻き上げる動作が、必要のため、生産周期（ｃｙｃｌｅ  ｔｉｍｅ）を短くすることができない問題をもたらす。
【課題を解決するための手段】
【０００６】
本考案は、フレキシブル回路シートを検出するための自動光学検出設備を提供する。フレキシブル回路シートは、その長軸に沿って配列される複数の回路区域（ｃｉｒｃｕｉｔ  ｒｅｇｉｏｎ）を有する。自動光学検出設備は、ベースと、ロールツーロール式装置と、光学検出装置と、を備える。ロールツーロール式装置は、ベースに設けられ、第１ローラーと、第２ローラーと、を含み、フレキシブル回路シートを第１ローラーから第２ローラーに送ることに用いられる。光学検出装置は、ベースに設けられ、第１ローラー及び第２ローラーの上方に位置して、走査方向に沿って回路区域を往復的に走査することに用いられる。第１ローラーと第２ローラーとの間の距離は、いずれかの回路区域の長軸における長さと同じ又はそれより短い。
【０００７】
本考案の一実施形態において、上記フレキシブル回路シートは、第１ローラーと第２ローラーとの間に、平坦部を有する。光学検出装置は、レンズモジュールと、映像走査モジュールと、を含む。レンズモジュールは、平坦部の上方に位置する。映像走査モジュールは、レンズモジュールの上方に位置して、レンズモジュールによって回路区域を走査することに用いられる。  
【０００８】
本考案の一実施形態において、上記光学検出装置は、少なくとも１つの光源を更に含む。光源は、レンズモジュールに隣接し平坦部の真向かいに位置し、平坦部に対して補光を行うことに用いられる。  
【０００９】
本考案の一実施形態において、上記自動光学検出設備は、レールを更に備える。レールは、ベースに設けられ、ロールツーロール式装置と光学検出装置との間にあって、光学検出装置を、走査方向に沿って平坦部の上方で移動させるように導くことに用いられる。  
【００１０】
本考案の一実施形態において、上記自動光学検出設備は、第１ドライバーを更に備える。第１ドライバーは、レールに設けられ光学検出装置に操作可能に接続されて、光学検出装置を、平坦部の上方でレールに沿って往復的に移動させるように駆動することに用いられる。  
【００１１】
本考案の一実施形態において、上記光学検出装置は、映像合成モジュールを更に含む。映像合成モジュールは、映像走査モジュールに電気的に接続されて、映像走査モジュールによる走査結果により、回路区域の画像を合成することに用いられる。  
【００１２】
本考案の一実施形態において、上記自動光学検出設備は、第２ドライバーを更に備える。第２ドライバーは、第１ローラー及び第２ローラーに操作可能に接続されて、第１ローラー及び第２ローラーを、回転させるように駆動することに用いられる。  
【００１３】
本考案の一実施形態において、上記自動光学検出設備は、画像取得装置を更に備える。画像取得装置は、第２ドライバーに電気的に接続されて、いずれかの回路区域の平坦部における位置を検出することに用いられる。第２ドライバーは、画像取得装置による検出結果により、第１ローラー及び第２ローラーを、回転させるように駆動する。  
【００１４】
本考案の一実施形態において、上記走査方向は、長軸に垂直である。  
【００１５】
本考案の一実施形態において、上記第１ローラー及び第２ローラーは、長軸に垂直である。
【考案の効果】
【００１６】
本考案により提供される自動光学検出設備の１つの主な技術的特徴は、自動光学検出設備にロールツーロール式装置のみを設けてフレキシブル回路シートを連続的に送り、フレキシブル回路シートを搭載するための従来のキャリアプレートを取り外し、そして、光学検出装置に合わせて単一の走査方向のみで走査を行うため、フレキシブル回路シートの巻き上げ及び巻き込みの準備時間を直接的に削減することができる他、更に自動光学検出設備の全体の体積を大いに削減する効果を達することができることにある。本考案により提供される自動光学検出設備の別の主な技術的特徴は、別に追加された画像取得装置が、フレキシブル回路シートにおけるある回路区域を検出する過程において、先に次の回路区域の位置を決めて、ロールツーロール式装置による送りの位置決め精度を高めることができることである。
【図面の簡単な説明】
【００１７】
【図１】本考案の一実施形態の自動光学検出設備を示す正面図である。
【図２】図１に示した光学検出装置、レール及び第１ドライバーを示す斜視図である。
【図３】図１に示した第１ローラー、第２ローラー及びフレキシブル回路シートを示す部分斜視図である。
【考案を実施するための形態】
【００１８】
以下、図面で本考案の複数の実施形態を開示し、明確に説明するために、数多くの実務上の細部を下記叙述で合わせて説明する。しかしながら、理解すべきなのは、これらの実務上の細部が、本考案を制限するためのものではない。つまり、本考案の実施形態の一部において、これらの実務上の細部は、必須なものではない。また、図面を簡略化するために、ある従来慣用の構造及び素子は、図面において簡単で模式的に示される。
【００１９】
本考案の一実施形態の自動光学検出設備１を示す正面図である図１、図１に示した光学検出装置１４、レール１６及び第１ドライバー１８を示す斜視図である図２、及び図１に示した第１ローラー１２０、第２ローラー１２２及びフレキシブル回路シート３を示す部分斜視図である図３を参照されたい。
【００２０】
図１及び図３に示すように、本実施形態において、自動光学検出設備１は、主にフレキシブル回路シート３を検出することに用いられる。フレキシブル回路シート３は、その長軸Ａに沿って配列される複数の回路区域３２を有する。
【００２１】
図１に示すように、自動光学検出設備１は、ベース１０と、ロールツーロール式装置１２と、光学検出装置１４と、を備える。自動光学検出設備１のロールツーロール式装置１２は、ベース１０に設けられ、第１ローラー１２０と、第２ローラー１２２と、を含み、フレキシブル回路シート３を第１ローラー１２０から第２ローラー１２２に送ることに用いられる。本実施形態において、ロールツーロール式装置１２に設けられる第１ローラー１２０及び第２ローラー１２２は、フレキシブル回路シート３の長軸Ａ（図３に示す）に垂直である。
【００２２】
光学検出装置１４は、ベース１０に設けられ、第１ローラー１２０及び第２ローラー１２２の上方に位置して、所定の走査方向Ｓ（図３に示す）に沿ってフレキシブル回路シート３の回路区域３２を往復的に走査することに用いられる。本実施形態において、上記走査方向Ｓは、フレキシブル回路シート３の長軸Ａに垂直である。
【００２３】
特には、ロールツーロール式装置１２の第１ローラー１２０と第２ローラー１２２との間の距離は、いずれかの回路区域３２の長軸Ａにおける長さと同じ又はそれより短い。
【００２４】
これより分かるように、本考案の自動光学検出設備１は、ロールツーロール式装置１２でフレキシブル回路シート３を連続的に送り、フレキシブル回路シート３を搭載するための従来のキャリアプレートを省略し、そして、光学検出装置１４に合わせて単一の走査方向Ｓで走査を行うため、その全体の体積を大いに削減する効果を達することができる。
【００２５】
図２及び図３に示すように、本実施形態において、フレキシブル回路シート３は、第１ローラー１２０と第２ローラー１２２との間において、平坦部３０を有する。第１ローラー１２０と第２ローラー１２２との間の距離は、いずれかの回路区域３２の長軸Ａにおける長さと同じ又はそれより短いため、フレキシブル回路シート３の平坦部３０の長軸Ａにおける長さは、いずれかの回路区域３２の長軸Ａにおける長さと同じ又はそれより短い。
【００２６】
自動光学検出設備１の光学検出装置１４は、レンズモジュール１４０と、映像走査モジュール１４２と、光源１４４と、を含む。光学検出装置１４のレンズモジュール１４０は、フレキシブル回路シート３の平坦部３０の上方に位置する。光学検出装置１４の映像走査モジュール１４２は、レンズモジュール１４０の上方に位置して、レンズモジュール１４０によってフレキシブル回路シート３の回路区域３２を走査することに用いられる。光学検出装置１４の光源１４４は、レンズモジュール１４０に隣接しフレキシブル回路シート３の平坦部３０に対向して、平坦部３０に対して補光を行うことに用いられる。
【００２７】
同様に図２に示すように、自動光学検出設備１は、レール１６を更に備える。自動光学検出設備１のレール１６は、ベース１０に設けられ、ロールツーロール式装置１２と光学検出装置１４との間に位置し、自動光学検出設備１のレール１６の向きは、走査方向Ｓに平行である。自動光学検出設備１の光学検出装置１４は、レール１６に摺動可能に設けられるため、レール１６により光学検出装置１４を、走査方向Ｓに沿って平坦部３０の上方で移動させるように導くことができる。
【００２８】
また、自動光学検出設備１は、第１ドライバー１８を更に備える。自動光学検出設備１の第１ドライバー１８は、レール１６に設けられ、光学検出装置１４に操作可能に接続されて、光学検出装置１４を、フレキシブル回路シート３の平坦部３０の上方でレール１６に沿って往復的に移動させるように駆動することに用いられる。
【００２９】
図１に示すように、本実施形態において、自動光学検出設備１は、第２ドライバー２０を更に備える。自動光学検出設備１の第２ドライバー２０は、ロールツーロール式装置１２の第１ローラー１２０及び第２ローラー１２２に操作可能に接続されて、第１ローラー１２０及び第２ローラー１２２を、回転させるように駆動することに用いられる。
【００３０】
光学検出装置１４による走査過程において、自動光学検出設備１の第２ドライバー２０は、まず、ロールツーロール式装置１２の第１ローラー１２０及び第２ローラー１２２を駆動し、送りステップ（ｓｔｅｐ）を動かす。そして、光学検出装置１４の第１ドライバー１８は、光学検出装置１４を駆動し、フレキシブル回路シート３の平坦部３０の上方でレール１６に沿って往復的に移動させ、走査を行って回路区域３２の一部の画像を取得する。また、光学検出装置１４によりいずれかの送りステップにおいて走査される一部の画像は、前の送りステップ及び次の送りステップにおいて走査される一部の画像と部分的に重なる。
【００３１】
自動光学検出設備１の光学検出装置１４は、映像合成モジュール１４６（図１の破線で示すように）を更に含む。光学検出装置１４の映像合成モジュール１４６は、映像走査モジュール１４２に電気的に接続されて、映像走査モジュール１４２による走査結果により回路区域３２の画像を合成することに用いられる。つまり、光学検出装置１４の映像合成モジュール１４６は、２つずつ部分的に重なる画像を完全な回路区域３２の画像に合成することができる。
【００３２】
同様に図１に示すように、自動光学検出設備１は、画像取得装置２２を更に備える。自動光学検出設備１の画像取得装置２２は、第２ドライバー２０に電気的に接続されて、フレキシブル回路シート３のいずれかの回路区域３２の平坦部３０における位置を検出することに用いられる。自動光学検出設備１の第２ドライバー２０は、画像取得装置２２による検出結果により、ロールツーロール式装置１２の第１ローラー１２０及び第２ローラー１２２を、回転させるように駆動する。
【００３３】
これによって、光学検出装置１４によりフレキシブル回路シート３におけるある回路区域３２を走査する過程において、画像取得装置２２は、先に次の回路区域３２の位置を決めて、ロールツーロール式装置１２による送りの位置決め精度を補う効果を達することができる。
【００３４】
以上本考案の具体的な実施例に対する詳しい叙述から明らかに分かるように、本考案により提供される自動光学検出設備の１つの主な技術的特徴は、自動光学検出設備にロールツーロール式装置のみを設けてフレキシブル回路シートを連続的に送り、フレキシブル回路シートを搭載するための従来のキャリアプレートを取り外し、そして、光学検出装置に合わせて単一の走査方向のみで走査を行うため、フレキシブル回路シートの巻き上げ及び巻き込みの準備時間を直接的に削減することができる他、更に自動光学検出設備の全体の敷地面積を大いに削減する効果を達することができることにある。本考案により提供される自動光学検出設備の別の主な技術的特徴は、別に追加された画像取得装置が、フレキシブル回路シートにおけるある回路区域を検出する過程において、先に次の回路区域の位置を決めて、ロールツーロール式装置による送りの位置決め精度を高めることができることにある。
【００３５】
本考案では実施形態を前述の通り開示したが、それは本考案を限定するものではなく、当該分野の技術を熟知しているものであれば、本考案の精神と領域を離脱しない範囲内で、多様の変動や修正を加えることができ、従って本考案の保護範囲は、実用新案登録請求の範囲で指定した内容を基準とする。
【符号の説明】
【００３６】
１：自動光学検出設備
３：フレキシブル回路シート
１０：ベース
１２：ロールツーロール式装置
１４：光学検出装置
１６：レール
１８：第１ドライバー
２０：第２ドライバー
２２：画像取得装置
３０：平坦部
３２：回路区域
１２０：第１ローラー
１２２：第２ローラー
１４０：レンズモジュール
１４２：映像走査モジュール
１４４：光源
１４６：映像合成モジュール
Ａ：長軸
Ｓ：走査方向
【図１】
0003185858.tif 000003
【図２】
0003185858.tif 000004
【図３】
0003185858.tif 000005